(57)【要約】【課題】機器の相互接続性を確保しつつ、複数の記憶装置から、所定のコンテンツが蓄積された記憶装置を特定することを可能とする。【解決手段】ネットワーク３０を介してＤＭＰ対応テレビ受像機１０又はＤＭＣ対応ＰＣ１５と情報を通信する、複数のリムーバブルディスクを格納可能なＮＡＳ２０は、リムーバブルディスクと、リムーバブルディスクを管理する記憶装置管理部とを具備し、記憶装置管理部は、端末装置からの要求に対して、記憶装置管理部が管理する記憶装置毎に端末装置に応答する送信部を具備する。【選択図】図１
2011130300.tif 000002
【特許請求の範囲】
【請求項１】
ネットワークを介して端末装置と情報を通信する、複数の記憶装置を格納可能な情報記録装置であって、
前記記憶装置と、
前記記憶装置を管理する記憶装置管理部とを具備し、
前記記憶装置管理部は、
前記端末装置からの要求に対して、前記記憶装置管理部が管理する前記記憶装置毎に前記端末装置に応答する送信部を具備することを特徴とする情報記録装置。
【請求項２】
前記記憶装置管理部は、
前記記憶装置を識別子によって管理する記憶装置識別子管理部と、
前記記憶装置識別子管理部によって管理された前記記憶装置の前記識別子と前記記憶装置に記憶される内容とを関連付けて、前記記憶装置毎に記憶される前記内容を管理する記憶内容管理部とを具備する請求項１に記載の情報記録装置。
【請求項３】
前記記憶装置識別子管理部は、前記記憶装置が前記識別子を有しない場合に、任意の識別子を割り当てることを特徴とする請求項２に記載の情報記録装置。
【請求項４】
前記記憶装置識別子管理部は、前記記憶装置が前記識別子を有しない場合に、ユーザの操作に応じて、任意の識別子を割り当てることを特徴とする請求項２に記載の情報記録装置。
【請求項５】
前記記憶装置識別子管理部は、ユーザの操作に応じて、前記記憶装置を識別する前記識別子を変更することを特徴とする請求項２乃至４のいずれかに記載の情報記録装置。
【請求項６】
前記記憶装置は、前記記憶装置毎に独自のデータベースを有することを特徴とする請求項１乃至５のいずれかに記載の情報記録装置。
【請求項７】
前記記憶装置管理部は、前記記憶装置の初期化の際に、前記記憶装置毎に独自の前記データベースを作成することを特徴とする請求項１乃至６のいずれかに記載の情報記録装置。
【請求項８】
前記記憶装置管理部は、前記記憶装置を前記記憶装置毎の独自のプロセスによって管理することを特徴とする請求項２乃至５のいずれかに記載の情報記録装置。
【請求項９】
前記端末装置と前記情報記録装置とは、ＤＬＮＡガイドラインに基づいて情報を通信することを特徴とする請求項１乃至８のいずれかに記載の情報記録装置。
【請求項１０】
ネットワークを介して端末装置と情報を通信する、複数の記憶装置を格納可能な情報記録装置における情報記録方法であって、
前記端末装置からの要求に対して、管理された前記記憶装置毎に前記端末装置に応答するステップを具備することを特徴とする情報記録方法。
【発明の詳細な説明】
【技術分野】
【０００１】
本発明は、複数の記憶装置を格納可能な情報記録装置及び情報記録方法に関する。
【背景技術】
【０００２】
近年、ネットワークに直接接続して使用されるＮＡＳ（Ｎｅｔｗｏｒｋ  Ａｔｔａｃｈｅｄ  Ｓｔｏｒａｇｅ）などの情報記録装置に蓄積されたコンテンツを、ネットワークを介して、複数人が共有して利用する形態が一般化している。
【０００３】
その際、ＤＬＮＡ（Ｄｉｇｉｔａｌ  Ｌｉｖｉｎｇ  Ｎｅｔｗｏｒｋ  Ａｌｌｉａｎｃｅ）ガイドラインに基づいて、上記コンテンツの視聴や管理などを行う技術が提案されている（例えば、特許文献１参照）。
【０００４】
上述したＤＬＮＡガイドラインでは、コンテンツの記録や蓄積などを行うＤＭＳ（Ｄｉｇｉｔａｌ  Ｍｅｄｉａ  Ｓｅｒｖｅｒ）と当該コンテンツを再生するＤＭＰ（Ｄｉｇｉｔａｌ  Ｍｅｄｉａ  Ｐｌａｙｅｒ）と，当該ＤＭＳと当該ＤＭＰとを管理するＤＭＣ（Ｄｉｇｉｔａｌ  Ｍｅｄｉａ  Ｃｏｎｔｒｏlｌｅｒ）とが規定されている。これらはネットワークにつなぐだけで利用可能となる。ＤＭＰはネットワーク内の存在するＤＭＳを検索し、検索されたＤＭＳから利用可能なコンテンツのリストを自動的に取得する。ユーザは当該リストから視聴したいコンテンツを選択するだけで、ＤＭＳが自動的にコンテンツを提供する。すなわち、ＤＭＳは、リストによってユーザにコンテンツを提供するため、ＤＭＳは、物理的又は論理的にＤＭＳ内のどの場所に当該コンテンツが蓄積されているかをユーザに意識させない。
【０００５】
しかしながら、１つのＤＭＳ（情報記録装置）が、リムーバブルハードディスクなどの差し替え可能である記憶装置を同時に複数装着する場合、管理者は、所定のコンテンツが蓄積されたリムーバブルハードディスクを特定できない。
【０００６】
一方、独自の規格に基づいて、上記コンテンツの視聴や管理などを行う技術が提案されている（例えば、特許文献２参照）。
【先行技術文献】
【特許文献】
【０００７】
【特許文献１】特開２００８−４１１２０号公報
【特許文献２】特開２００８−２８９１０２号公報
【発明の概要】
【発明が解決しようとする課題】
【０００８】
上述した独自の規格では、コンテンツの記録や蓄積などを行う機器における当該コンテンツの記録先をハードディスクかリムーバブルメディアかに指定することができる。
【０００９】
しかしながら、コンテンツの記録や蓄積などを行う機器と当該コンテンツを再生する機器との両方が当該独自の規格に対応していなければならない。
【００１０】
上記問題点に鑑み、本発明は、機器の相互接続性を確保しつつ、複数の記憶装置から、所定のコンテンツが蓄積された記憶装置を特定することができることを目的とする。
【課題を解決するための手段】
【００１１】
上述した課題を解決するために、本発明は以下のような特徴を有している。
【００１２】
本発明の特徴は、ネットワーク（ネットワーク３０）を介して端末装置（ＤＭＰ対応テレビ受像機１０、ＤＭＣ対応ＰＣ１５）と情報を通信する、複数の記憶装置を格納可能な情報記録装置（ＮＡＳ２０）であって、前記記憶装置（リムーバブルハードディスク２６０１、リムーバブルハードディスク２６０２）と、前記記憶装置を管理する記憶装置管理部（記憶装置管理部２１００）とを具備し、前記記憶装置管理部は、前記端末装置からの要求に対して、前記記憶装置管理部が管理する前記記憶装置毎に前記端末装置に応答する送信部（送信部２１０７）を具備することを要旨とする。
【００１３】
このような情報記録装置によれば、複数の記憶装置から、所定のコンテンツが蓄積された記憶装置を特定することが可能である。
【００１４】
本発明の特徴は、前記記憶装置管理部は、前記記憶装置を識別子によって管理する記憶装置識別子管理部（記憶装置識別子管理部２１０１）と、前記記憶装置識別子管理部によって管理された前記記憶装置の前記識別子と前記記憶装置に記憶される内容とを関連付けて、前記記憶装置毎に記憶される前記内容を管理する記憶内容管理部（記憶内容管理部２１０３）とを具備することを要旨とする。
【００１５】
本発明の特徴は、前記記憶装置識別子管理部は、前記記憶装置が前記識別子を有しない場合に、任意の識別子を割り当てることを要旨とする。
【００１６】
このような情報記録装置によれば、記憶装置の識別子の割り当てが自動で行われるため、管理者等の操作ミスなどの人的ミスを防止することができる。
【００１７】
本発明の特徴は、前記記憶装置識別子管理部は、前記記憶装置が前記識別子を有しない場合に、ユーザの操作に応じて、任意の識別子を割り当てることを要旨とする。
【００１８】
このような情報記録装置によれば、何らかの理由により、記憶装置の識別子の割り当てが自動で行われない場合であっても、当該識別子の設定を行うことができる。
【００１９】
本発明の特徴は、前記記憶装置識別子管理部は、ユーザの操作に応じて、前記記憶装置を識別する前記識別子を変更することを要旨とする。
【００２０】
このような情報記録装置によれば、記憶装置の識別子の変更が可能であるため、システム設定の自由度が高い。
【００２１】
本発明の特徴は、前記記憶装置は、前記記憶装置毎に独自のデータベースを有することを要旨とする。
【００２２】
このような情報記録装置によれば、１つのデータベースの不具合が他のデータベースに影響を与えることはない。
【００２３】
本発明の特徴は、前記記憶装置管理部（データベース作成部２１０９）は、前記記憶装置の初期化の際に、前記記憶装置毎に独自の前記データベースを作成することを要旨とする。
【００２４】
このような情報記録装置によれば、記憶装置の初期化が自動で行われるため、管理者等の操作ミスなどの人的ミスを防止することができる。
【００２５】
本発明の特徴は、前記記憶装置管理部は、前記記憶装置を前記記憶装置毎の独自のプロセスによって管理することを特徴とすることを要旨とする。
【００２６】
このような情報記録装置によれば、１つのプロセスの不具合が他のプロセスに影響を与えることはない。
【００２７】
本発明の特徴は、前記端末装置と前記情報記録装置とは、ＤＬＮＡガイドラインに基づいて情報を通信することを要旨とする。
【００２８】
本発明の特徴は、ネットワークを介して端末装置と情報を通信する、複数の記憶装置を格納可能な情報記録装置における情報記録方法であって、前記端末装置からの要求に対して、管理された前記記憶装置毎に前記端末装置に応答するステップを具備することを要旨とする。
【発明の効果】
【００２９】
本発明によれば、機器の相互接続性を確保しつつ、複数の記憶装置から、所定のコンテンツが蓄積された記憶装置を特定することが可能となる。
【図面の簡単な説明】
【００３０】
【図１】本発明の実施形態に係る通信システムの全体概略構成図である。
【図２】本発明の実施形態に係るＮＡＳ２０の構成図である。
【図３】本発明の実施形態に係るＮＡＳ２０の第１の動作を示すフローチャートである。
【図４】本発明の実施形態に係るＮＡＳ２０の第２の動作を示すフローチャートである。
【図５】本発明の実施形態に係るＮＡＳ２０の第３の動作を示すフローチャートである。
【図６】本発明の実施形態に係るＮＡＳ２０の第４の動作を示すフローチャートである。
【図７】本発明の実施形態に係るＤＭＰ対応テレビ受像機１０の選択画面を示す図である。
【発明を実施するための形態】
【００３１】
次に、図面を参照して、本発明の実施形態を説明する。具体的には、（１）通信システムの全体概略構成、（２）ＮＡＳ（Ｎｅｔｗｏｒｋ  Ａｔｔａｃｈｅｄ  Ｓｔｏｒａｇｅ）の構成、（３）ＮＡＳの動作、（４）作用・効果、（５）その他の実施形態について説明する。以下の実施形態における図面の記載において、同一又は類似の部分には同一又は類似の符号を付している。なお、本実施形態における通信システムでは、ＤＬＮＡガイドラインに基づいて通信が行われる。
【００３２】
（１）通信システムの全体概略構成
図１は、本発明の実施形態に係る通信システム１の全体概略構成図である。
【００３３】
図１に示すように、通信システム１は、ＤＭＰ対応テレビ受像機１０と、ＤＭＣ対応ＰＣ１５と、ＮＡＳ（Ｎｅｔｗｏｒｋ  Ａｔｔａｃｈｅｄ  Ｓｔｏｒａｇｅ）２０と、ネットワーク３０とを含む。
【００３４】
ＤＭＰ対応テレビ受像機１０は、ネットワーク３０を介して、ＮＡＳ２０に蓄積された映像や音声などのコンテンツを要求し、ＮＡＳ２０からコンテンツを受信して、表示する。
【００３５】
また、ＤＭＣ対応ＰＣ１５は、ネットワーク３０を介して、ＮＡＳ２０の各種設定を行う。なお、ＤＭＣ対応ＰＣ１５には携帯端末等も含まれる。
【００３６】
ＮＡＳ２０は、ネットワーク３０を介して、ＤＭＰ対応テレビ受像機１０からリクエストされたコンテンツをＤＭＰ対応テレビ受像機１０に送信する。また、ＮＡＳ２０は、ネットワーク３０を介して、ＤＭＣ対応ＰＣ１５からリクエストされた各種設定を行う。なお、ＮＡＳ２０は同時に２つのリムーバブルハードディスクを装着する。当該２つのリムーバブルハードディスクのそれぞれは、対応する１つのＤＭＳ（Ｄｉｇｉｔａｌ  Ｍｅｄｉａ  Ｓｅｒｖｅｒ）によって独自のプロセスで管理されている。
【００３７】
ネットワーク３０はＬＡＮ（Ｌｏｃａｌ  Ａｒｅａ  Ｎｅｔｗｏｒｋ）である。
【００３８】
（２）ＮＡＳ（Ｎｅｔｗｏｒｋ  Ａｔｔａｃｈｅｄ  Ｓｔｏｒａｇｅ）の構成
図２は、本発明の実施形態に係るＮＡＳ２０の構成図である。
【００３９】
図２に示すＮＡＳ２０は、映像や音声などのコンテンツを通信システム１内のＤＭＰ対応テレビ受像機１０に提供するものである。ＮＡＳ２０は、制御部２１０、通信部２２０、記憶部２３０、出力部２４０、記憶装置装着部２５０1、記憶装置装着部２５０２、リムーバブルハードディスク２６０１及びリムーバブルハードディスク２６０２を含む。
【００４０】
制御部２１０は、例えばＣＰＵによって構成され、ＮＡＳ２０が具備する各種機能を制御する。
【００４１】
通信部２２０は、ＤＭＰ対応テレビ受像機１０又はＤＭＣ対応ＰＣ１５との間で、ネットワーク３０を介した通信を行う。
【００４２】
記憶部２３０は、例えば、ＮＡＮＤ  Ｆｌａｓｈ  Ｍｅｍｏｒｙによって構成され、ＮＡＳ２０における制御などに用いられる各種情報を記憶する。具体的には、記憶部２３０は、ＯＳプログラムやＤＭＳ（Ｄｉｇｉｔａｌ  Ｍｅｄｉａ  Ｓｅｒｖｅｒ）プログラムなどを記憶する。
【００４３】
出力部２４０は、例えばスピーカやＬＥＤによって構成され、例外処理の実行状況などを管理者に通知する。
【００４４】
記憶装置装着部２５０１と記憶装置装着部２５０２とは、リムーバブルハードディスク２６０１とリムーバブルハードディスク２６０２とをＮＡＳ２０に装着するために用いられる。なお、本実施形態においては、リムーバブルハードディスク２６０１が記憶装置装着部２５０１に、リムーバブルハードディスク２６０２が記憶装置装着部２５０２に、同時に装着される。また、リムーバブルハードディスク２６０１とリムーバブルハードディスク２６０２とはフォーマット済みである。
【００４５】
制御部２１０は、記憶装置管理部２１００を含む。
【００４６】
記憶装置管理部２１００は、記憶装置装着部２５０１と記憶装置装着部２５０２とに装着されたリムーバブルハードディスク２６０１とリムーバブルハードディスク２６０２との管理を行う。また、記憶装置管理部２１００は、ＮＡＳ２０の起動時に、記憶装置装着部２５０１と記憶装置装着部２５０２とのうち、リムーバブルハードディスクが装着されている数だけ、当該リムーバブルハードディスクのそれぞれに対応し、独自のプロセスで管理されるＤＭＳ（Ｄｉｇｉｔａｌ  Ｍｅｄｉａ  Ｓｅｒｖｅｒ）を実行する。本実施形態においては２つのＤＭＳが実施される。また、記憶装置管理部２１００は、リムーバブルハードディスク２６０１とリムーバブルハードディスク２６０２とにフリーコンテンツを管理する共有フォルダが作成されていない場合は、当該共有フォルダを作成する。また、記憶装置管理部２１００は、ＮＡＳ２０が通信システム１に接続を完了した旨を、当該ＤＭＳのそれぞれによってＤＭＰ対応テレビ受像機１０に通知してもよい。また、記憶装置装着部２５０１と記憶装置装着部２５０２との両方にリムーバブルハードディスクが装着されていない場合は、出力部２４０によって、例外処理の実行状況などを管理者に通知してもよい。
【００４７】
記憶装置管理部２１００は、記憶装置識別子管理部２１０１、記憶内容管理部２１０３、受信部２１０５、送信部２１０７及びデータベース作成部２１０９を含む。なお、記憶装置管理部２１００は、リムーバブルハードディスクのそれぞれに対応し、独自のプロセスで管理されているＤＭＳ（Ｄｉｇｉｔａｌ  Ｍｅｄｉａ  Ｓｅｒｖｅｒ）ごとに、記憶装置識別子管理部２１０１、記憶内容管理部２１０３、受信部２１０５、送信部２１０７及びデータベース作成部２１０９を有する。また、本実施形態においては、リムーバブルハードディスク２６０１に対応するＤＭＳをＤＭＳ１とし、リムーバブルハードディスク２６０２に対応するＤＭＳをＤＭＳ２とする。
【００４８】
ＤＭＳ１の記憶装置識別子管理部２１０１は、リムーバブルハードディスク２６０１に保存される、ＨＤＤ（Ｈａｒｄ  Ｄｉｓｋ  ｄｒｉｖｅ）名が書き込まれるＨＤＤ名保存ファイルを管理する。ＤＭＳ１の記憶装置識別子管理部２１０１は、リムーバブルハードディスク２６０１にＨＤＤ名保存ファイルが保存されていない場合、当該リムーバブルハードディスク２６０１に、デフォルトのＨＤＤ名を書き込んだＨＤＤ名保存ファイルを作成し保存する。また、リムーバブルハードディスク２６０１に、何らかの理由でＨＤＤ名保存ファイルが保存されていない、又は既にＨＤＤ名保存ファイルが保存されている場合には、ＤＭＳ１の記憶装置識別子管理部２１０１は、ＤＭＣ対応ＰＣ１５がユーザの操作に応じて設定又は変更したＨＤＤ名が書き込まれているＨＤＤ名保存ファイルを作成又は更新し保存する。なお、ＤＭＣ対応ＰＣ１５におけるＨＤＤ名の設定又は変更方法は後述する。なお、ＤＭＳ２の記憶装置識別子管理部２１０１は、リムーバブルハードディスク２６０２について同様の処理を行う。
【００４９】
ＤＭＳ１の記憶内容管理部２１０３は、リムーバブルハードディスク２６０１に著作権保護コンテンツを管理する著作権保護コンテンツディレクトリが作成されていない場合は、当該著作権保護コンテンツディレクトリを作成する。ＤＭＳ１の記憶内容管理部２１０３は、リムーバブルハードディスク２６０１の記憶内容を、ＤＭＳ１の記憶装置識別子管理部２１０１によって管理されたＨＤＤ名保存ファイルと関連付けて管理する。リムーバブルハードディスク２６０１の記憶内容とは、具体的には、後述するリムーバブルハードディスク２６０１内のデータベースに格納される、当該リムーバブルハードディスク２６０１内の共有フォルダ又は著作権保護コンテンツディレクトリに格納されるコンテンツのメタデータである。また、ＤＭＳ１の記憶内容管理部２１０３は、著作権保護コンテンツディレクトリに新たな著作権保護コンテンツを格納する。その際、ＤＭＳ１の記憶内容管理部２１０３は、当該コンテンツに係るメタデータを保存する。また、ＤＭＳ１の記憶内容管理部２１０３は、共有フォルダに格納されているフリーコンテンツに係るメタデータを保存する。なお、ＤＭＳ２の記憶内容管理部２１０３は、リムーバブルハードディスク２６０２について同様の処理を行う。
【００５０】
ＤＭＳ１の受信部２１０５は、ネットワーク３０を介して、ユーザの操作に応じて、ＤＭＰ対応テレビ受像機１０からリクエストされたコンテンツ取得要求や、ＤＭＣ対応ＰＣ１５からリクエストされた、リムーバブルハードディスク２６０１のＨＤＤ名の変更要求などを受信する。なお、ＤＭＳ２の受信部２１０５は、リムーバブルハードディスク２６０２について同様の処理を行う。
【００５１】
ＤＭＳ１の送信部２１０７は、ＤＭＳ１の受信部２１０５が受信した要求に対する応答を、ネットワーク３０を介して、ＤＭＰ対応テレビ受像機１０又はＤＭＣ対応ＰＣ１５に送信する。なお、ＤＭＳ２の送信部２１０７は、リムーバブルハードディスク２６０２について同様の処理を行う。
【００５２】
ＤＭＳ１のデータベース作成部２１０９は、リムーバブルハードディスク２６０１にデータベースが作成されていない場合は、当該リムーバブルハードディスク２６０１に、１つのデータベースを作成する。なお、データベースに格納するデータはリムーバブルハードディスクに保存されるコンテンツに係る、ジャンル、アスペクト比、長さなどのメタデータであり、コンテンツそのものは当該データベースに格納されず、リムーバブルハードディスク２６０１内の共有フォルダ又は著作権保護コンテンツディレクトリに格納される。なお、ＤＭＳ２のデータベース作成部２１０９は、リムーバブルハードディスク２６０２について同様の処理を行う。
【００５３】
（３）ＮＡＳの動作
次に、ＮＡＳ２０の動作を説明する。図３、図４、図５及び６図は、ＮＡＳ２０の動作を示すフローチャートである。
【００５４】
まず、図３を用いて、ＮＡＳ２０の起動時の動作について説明する。
【００５５】
ステップＳ１０１において、記憶装置管理部２１００は、リムーバブルハードディスク２６０１が記憶装置装着部２５０１に、リムーバブルハードディスク２６０２が記憶装置装着部２５０２に装着されていることを確認する。なお、記憶装置管理部２１００は、記憶装置装着部２５０１と記憶装置装着部２５０２とのいずれにもリムーバブルハードディスクが装着されていない場合は、出力部２４０によって、例外処理の実行状況などを管理者に通知してもよい。
【００５６】
ステップＳ１０３において、記憶装置管理部２１００は、記憶装置装着部２５０１に装着されたリムーバブルハードディスク２６０１と、記憶装置装着部２５０２に装着されたリムーバブルハードディスク２６０２とに共有フォルダが作成されているか判断する。
【００５７】
リムーバブルハードディスクのいずれかに共有フォルダが作成されていない場合、ステップＳ１０５において、記憶装置管理部２１００は、共有フォルダが作成されていないリムーバブルハードディスクに、共有フォルダを作成する。
【００５８】
すべてのリムーバブルハードディスクに共有フォルダが作成されている場合、またはステップＳ１０５における共有フォルダの作成後、ステップＳ１０７において、記憶装置管理部２１００は、リムーバブルハードディスク２６０１とリムーバブルハードディスク２６０２とのそれぞれに対応し、独自のプロセスで管理されるＤＭＳ（Ｄｉｇｉｔａｌ  Ｍｅｄｉａ  Ｓｅｒｖｅｒ）をＤＭＳ１とＤＭＳ２として実行する。
【００５９】
ステップＳ１０９において、ＤＭＳ１の記憶装置識別子管理部２１０１は、リムーバブルハードディスク２６０１にＨＤＤ名保存ファイルが保存されているか否か判断する。
【００６０】
リムーバブルハードディスク２６０１にＨＤＤ名保存ファイルが保存されていない場合、ステップＳ１１１において、ＤＭＳ１の記憶装置識別子管理部２１０１は、リムーバブルハードディスク２６０１に、デフォルトＨＤＤ名を書き込んだＨＤＤ名保存ファイルを作成し保存する。なお、ＤＭＳ２の記憶装置識別子管理部２１０１は、リムーバブルハードディスク２６０２について同様の処理を行う。
【００６１】
リムーバブルハードディスクにＨＤＤ名保存ファイルが保存されている場合、またはステップＳ１１１におけるデフォルトＨＤＤ名保存ファイルの作成と保存後、ステップＳ１１３において、ＤＭＳ１の記憶内容管理部２１０３は、リムーバブルハードディスク２６０１に、著作権保護コンテンツディレクトリが作成されているか否か判断する。
【００６２】
リムーバブルハードディスク２６０１に著作権保護コンテンツディレクトリが作成されていない場合、ステップＳ１１５において、ＤＭＳ１の記憶内容管理部２１０３は、当該リムーバブルハードディスク２６０１に、著作権保護コンテンツディレクトリを作成する。なお、ＤＭＳ２の記憶内容管理部２１０３は、リムーバブルハードディスク２６０２について同様の処理を行う。
【００６３】
リムーバブルハードディスクに著作権保護コンテンツディレクトリが作成されている場合、またはステップＳ１１５における著作権保護コンテンツディレクトリの作成後、ステップＳ１１７において、ＤＭＳ１のデータベース作成部２１０９は、リムーバブルハードディスク２６０１に、データベースが作成されているか否か判断する。
【００６４】
リムーバブルハードディスク２６０１にデータベースが作成されていない場合、ステップＳ１１９において、ＤＭＳ１のデータベース作成部２１０９は、当該リムーバブルハードディスク２６０１に、１つのデータベースを作成する。なお、ＤＭＳ２のデータベース作成部２１０９は、リムーバブルハードディスク２６０２について同様の処理を行う。
【００６５】
リムーバブルハードディスクにデータベースが作成されている場合、またはステップＳ１１９におけるデータベースの作成後、ステップＳ１２１において、リムーバブルハードディスク２６０１に対応するＤＭＳ１の送信部２１０７は、当該ＤＭＳ１が実行され、通信システム１に接続が完了した旨をＤＭＰ対応テレビ受像機１０に通知する。なお、当該ＤＭＳ１は、当該通知を、ＤＬＮＡガイドラインにおいて機器間の通信手順のベースとなっているＵＰｎＰ（Ｕｎｉｖｅｒｓａｌ  Ｐｌｕｇ  ａｎｄ  Ｐｌａｙ）の“ＮＯＴＩＦＹ”機能によって行う。なお、ＤＭＳ２の送信部２１０７は、リムーバブルハードディスク２６０２について同様の処理を行う。
【００６６】
次に図４を用いて、ＮＡＳ２０を起動後のコンテンツ転送の動作について説明する。
【００６７】
ステップＳ２０１において、リムーバブルハードディスク２６０１に対応するＤＭＳ１とリムーバブルハードディスク２６０２に対応するＤＭＳ２との受信部２１０５は、ネットワーク３０を介して、ＤＭＰ対応テレビ受像機１０からのＵＰｎＰの“Ｍ−ＳＥＡＲＣＨ”機能によって行われるＮＡＳ検索要求を受信する。
【００６８】
ステップＳ２０３において、記憶装置装着部２５０１に装着されたリムーバブルハードディスク２６０１に対応するＤＭＳ１の送信部２１０７は、ネットワーク３０を介して、ＮＡＳ検索要求に対する応答をＤＭＰ対応テレビ受像機１０に送信する。具体的には、ＤＭＳ１の送信部２１０７は、リムーバブルハードディスク２６０１に保存されているＨＤＤ名保存ファイルからＨＤＤ名を取得し、これと、他と重複しない任意のＩＤであり、ＵＰｎＰ上で識別されるＵＤＮ（Ｕｎｉｑｕｅ  Ｄｅｖｉｃｅ  Ｎａｍｅ）及び他と重複しない任意のＨＴＴＰポート番号とを、ＤＭＳ１のデバイス情報（ＵＰｎＰ  Ｄｅｖｉｃｅ  Ｄｅｓｃｒｉｐｔｉｏｎ）として、ＤＭＰ対応テレビ受像機１０に送信する。なお、記憶装置装着部２５０２に装着されたリムーバブルハードディスク２６０２に対応するＤＭＳ２の送信部２１０７は、リムーバブルハードディスク２６０２について同様の処理を行う。なお、図７の画面１０１におけるＨＤＤ名１０３は、記憶装置装着部２５０１に装着されたリムーバブルハードディスク２６０１が、ＤＭＰ対応テレビ受像機１０にリストの要素として表示されたものである。また、ＨＤＤ名１０５は、記憶装置装着部２５０２に装着されたリムーバブルハードディスク２６０２が、ＤＭＰ対応テレビ受像機１０にリストの要素として表示されたものである。当該リストは、リムーバブルハードディスク２６０１とリムーバブルハードディスク２６０２とに対応するそれぞれのＤＭＳの送信部２１０７から送信されたデバイス情報により作成されている。すなわち、ＤＭＰ対応テレビ受像機１０は、ＮＡＳ２０から２度の応答を受信している。なお、それぞれのＤＭＳの送信部２１０７は、当該応答を、ＵＰｎＰの“Ｍ−ＳＥＡＲＣＨ”機能のレスポンスによって行う。
【００６９】
ステップＳ２０５において、リムーバブルハードディスク２６０１に対応するＤＭＳ１の受信部２１０５が、ネットワーク３０を介して、ユーザによって選択された、図７の画面１０１のＨＤＤ名１０３に対応するＵＤＮ及びＨＴＴＰポート番号に基づいて、転送される著作権保護コンテンツデータを転送要求として、ＤＭＰ対応テレビ受像機１０から受信する。なお、ＤＭＰ対応テレビ受像機１０及びＮＡＳ２０は、著作権保護技術により保護されたコンテンツを転送するための技術規格であるＤＴＣＰ−ＩＰに対応しており、当該ＤＭＰ対応テレビ受像機１０は、当該要求をＤＴＣＰ−ＩＰの著作権保護データ転送・蓄積機能によって行う。
【００７０】
ステップＳ２０７において、リムーバブルハードディスク２６０１に対応するＤＭＳ１の記憶内容管理部２１０３は、ネットワーク３０を介して、ＤＭＳ１の受信部２１０５が受信した、転送される著作権保護コンテンツデータを、リムーバブルハードディスク２６０１内の著作権保護コンテンツディレクトリに新たな著作権保護コンテンツとして格納する。その際、ＤＭＳ１の記憶内容管理部２１０３は、当該コンテンツに係るメタデータをリムーバブルハードディスク２６０１内のデータベースに保存する。なお、当該コンテンツに係るメタデータのリムーバブルハードディスク２６０１内のデータベースへの保存は、ＤＭＣ対応ＰＣ１５における、ユーザによるメタデータ保存の即時実行の操作又は定期的なバッチ実行の設定によって行われてもよい。一方、リムーバブルハードディスク２６０１内とリムーバブルハードディスク２６０２内との共通フォルダに格納されるフリーコンテンツは、ＤＭＳのプロセスではなくＮＡＳ２０のＯＳ関連プロセスによって当該共通フォルダに格納される。その際、ＮＡＳ２０のＯＳ関連プロセスは、当該フリーコンテンツに係るメタデータをリムーバブルハードディスク２６０１内とリムーバブルハードディスク２６０２内とのデータベースに保存する。なお、当該コンテンツに係るメタデータのリムーバブルハードディスク２６０１内とリムーバブルハードディスク２６０２内とのデータベースへの保存は、ＤＭＣ対応ＰＣ１５における、ユーザによるメタデータ保存の即時実行の操作又は定期的なバッチ実行の設定によって行われてもよい。なお、本実施形態では、ＤＭＳ１のリムーバブルハードディスク２６０１へのコンテンツ転送について述べたが、ＤＭＳ２のリムーバブルハードディスク２６０２へのコンテンツ転送も同様の手順で行われる。
【００７１】
次に図５を用いて、ＮＡＳ２０を起動後のコンテンツ選択の動作について説明する。
【００７２】
ステップＳ３０１及びステップＳ３０３は、図４のステップＳ２０１及びステップＳ２０３と同様である。
【００７３】
ステップＳ３０５において、リムーバブルハードディスク２６０１に対応するＤＭＳ１の受信部２１０５が、ネットワーク３０を介して、ユーザによって選択された、図７の画面１０１のＨＤＤ名１０３に対応するＵＤＮ及びＨＴＴＰポート番号に基づいて、コンテンツリスト要求をＤＭＰ対応テレビ受像機１０から受信する。なお、ＤＭＰ対応テレビ受像機１０は、当該要求を、ＵＰｎＰの“ＳＯＡＰＡＣＴＩＯＮ”機能によって行う。
【００７４】
ステップＳ３０７において、記憶装置装着部２５０１に装着されたリムーバブルハードディスク２６０１に対応するＤＭＳ１の送信部２１０７は、ネットワーク３０を介して、コンテンツリスト要求に対する応答をＤＭＰ対応テレビ受像機１０に送信する。具体的には、ＤＭＳ１の送信部２１０７は、リムーバブルハードディスク２６０１内のデータベースに格納される、対応するメタデータをコンテンツ情報としてＤＭＰ対応テレビ受像機１０に送信する。なお、図７の画面１０７は、ＨＤＤ名１０３であるリムーバブルハードディスク２６０１が保持するコンテンツのリストが、ＤＭＰ対応テレビ受像機１０に表示されたものである。当該コンテンツのリストは、リムーバブルハードディスク２６０１に対応するＤＭＳ１の送信部２１０７から送信されたコンテンツ情報のみにより作成されている。すなわち、ＤＭＰ対応テレビ受像機１０は、ＮＡＳ２０から１度の応答を受信している。なお、ＤＭＳ１の送信部２１０７は、当該応答を、ＵＰｎＰの“ＳＯＡＰＡＣＴＩＯＮ”機能のレスポンスによって行う。なお、本実施形態では、ＤＭＳ１によるリムーバブルハードディスク２６０１のコンテンツリスト取得について述べたが、ＤＭＳ２によるリムーバブルハードディスク２６０２のコンテンツリスト取得も同様の手順で行われる。
【００７５】
図７においては、記憶装置装着部２５０１に装着されたリムーバブルハードディスク２６０１のＨＤＤ名１０３と記憶装置装着部２５０２に装着されたリムーバブルハードディスク２６０２のＨＤＤ名１０５とのリストを表示する画面１０１と、リムーバブルハードディスク２６０１が保持するコンテンツのリストを表示する画面１０７との２階層の画面が例示されている。しかしながら、画面１０１が必ず表示されることを除いて、階層の数などに制限はない。
次に図６を用いて、何らかの理由でＨＤＤ名保存ファイルが保存されていない、又は既にＨＤＤ名保存ファイルが保存されているリムーバブルハードディスクのＨＤＤ名の設定又は変更の動作について説明する。また、本実施形態においては、リムーバブルハードディスク２６０１のＨＤＤ名の設定又は変更は、対応するＤＭＳ１のプロセスにおいて行われる。また、リムーバブルハードディスク２６０２のＨＤＤ名の設定又は変更は、対応するＤＭＳ２のプロセスにおいて行われる。しかしながら、リムーバブルハードディスクのＨＤＤ名の設定又は変更は、独自のプロセスで管理されている設定プログラムにより行われてもよい。
【００７６】
ステップＳ４０１において、リムーバブルハードディスク２６０１に対応するＤＭＳ１の受信部２１０５は、ネットワーク３０を介して、ユーザの操作に応じ、ＤＭＣ対応ＰＣ１５からリムーバブルハードディスク２６０１の設定画面情報の要求を受信する。
【００７７】
ステップＳ４０３において、ＤＭＳ１の送信部２１０７は、ネットワーク３０を介して、リムーバブルハードディスク２６０１の設定画面情報を応答として、ＤＭＣ対応ＰＣ１５に送信する。
【００７８】
ステップＳ４０５において、ＤＭＳ１の受信部２１０５は、ネットワーク３０を介して、ユーザの操作に応じ、ＤＭＣ対応ＰＣ１５から、リムーバブルハードディスク２６０１のＨＤＤ名の設定又は変更要求を受信する。
【００７９】
ステップＳ４０７において、ＤＭＳ１の記憶装置識別子管理部２１０１が、ＤＭＳ１の受信部２１０５が受信したＨＤＤ名の設定又は変更要求に含まれるＨＤＤ名を用いて、ＨＤＤ名保存ファイルを作成又は更新し、リムーバブルハードディスク２６０１内に保存する。ＤＭＳ１の送信部２１０７は、ネットワーク３０を介して、ＨＤＤ名の設定又は変更結果を、応答としてＤＭＣ対応ＰＣ１５に送信する。なお、本実施形態では、ＤＭＳ１によるリムーバブルハードディスク２６０１のＨＤＤ名の設定又は変更について述べたが、ＤＭＳ２によるリムーバブルハードディスク２６０２のＨＤＤ名の設定又は変更も同様の手順で行われる。
【００８０】
（４）作用・効果
本発明の実施形態において、ＮＡＳ２０は、２つのリムーバブルハードディスクを内部に有し、当該２つのリムーバブルハードディスクのそれぞれに記憶された内容を独立して管理する。
【００８１】
このようなＮＡＳ２０によれば、ＮＡＳ２０とＤＭＰ対応テレビ受像機１０又はＤＭＣ対応ＰＣ１５との両方が独自の規格に対応する必要がなく、当該ＮＡＳ２０と当該ＤＭＰ対応テレビ受像機１０又はＤＭＣ対応ＰＣ１５とが既存のＤＬＮＡガイドラインに対応し、かつ当該ＮＡＳ２０の機能を拡張するだけで、２つのリムーバブルハードディスクから、所定のコンテンツが蓄積されたリムーバブルハードディスクを特定することができる。
【００８２】
また、２つのリムーバブルハードディスクのそれぞれに対応するＤＭＳは、独自のプロセスによって管理されているため、１つのＤＭＳの不具合が他のリムーバブルディスクに影響を与えることはない。
【００８３】
また、ＮＡＳ２０が、リムーバブルハードディスクのデフォルトＨＤＤ名の保存やデータベースの作成を自動で行うため、管理者等の操作ミスなどの人的ミスを防止することができる。
【００８４】
また、リムーバブルハードディスクのＨＤＤ名の変更が可能であるため、システム設定の自由度が高い。
【００８５】
（５）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００８６】
上述した実施形態では、ＤＬＮＡガイドライン及びＤＴＣＰ−ＩＰを用いて説明したが、同様の処理が可能な他の既存の、又は汎用なガイドラインまたは規格においても、本発明を適用することができる。
【００８７】
また、本発明の記憶装置は、リムーバブルハードディスクに限らず、例えば光学ドライブなどの記憶メディアも含む。
【００８８】
また、本発明の記憶装置の同時装着数は、２つに限定されるわけではなく、１つでも、３つ以上でもよい。
【００８９】
また、本発明の記憶装置は、着脱可能である必要はなく、固定されるものも含む。ただし、その場合は、同時装着数は２つ以上である。
【００９０】
また、上述した実施形態では、ネットワーク３０をＬＡＮとして説明したが、ＷＡＮ（Ｗｉｄｅ  Ａｒｅａ  Ｎｅｔｗｏｒｋ）経由のネットワークなども含む。
【００９１】
また、上述した実施形態では、リムーバブルハードディスクは２つであるため、２つのＤＭＳが実行され、独自のプロセスでリムーバブルハードディスクのそれぞれが管理されているが、リムーバブルハードディスクが２つ以外の場合でも、同様である。例えば、リムーバブルハードディスクが１つの場合は、１つのＤＭＳが実行され、独自のプロセスで当該リムーバブルハードディスクが管理される。
【００９２】
このように本発明は、ここでは記載していない様々な実施形態等を包含するということを理解すべきである。したがって、本発明はこの開示から妥当な特許請求の範囲の発明特定事項によってのみ限定されるものである。
【産業上の利用可能性】
【００９３】
本発明の情報記録装置及び情報記録方法は、機器の相互接続性を確保しつつ、複数の記憶装置から、所定のコンテンツが蓄積された記憶装置を特定することが可能であり、情報記録装置及び情報記録方法として有用である。
【符号の説明】
【００９４】
１０…ＤＭＰ対応テレビ受像機、１５…ＤＭＣ対応ＰＣ、２０…ＮＡＳ、３０…ネットワーク、２１０…制御部、２２０…通信部、２３０…記憶部、２４０…出力部、２５０１…記憶装置装着部、２５０２…記憶装置装着部、２６０１…リムーバブルハードディスク、２６０２…リムーバブルハードディスク、２１００…記憶装置管理部、２１０１…記憶装置識別子管理部、２１０３…記憶内容管理部、２１０５…受信部、２１０７…送信部、２１０９…データベース作成部
【図１】
2011130300.tif 000003
【図２】
2011130300.tif 000004
【図３】
2011130300.tif 000005
【図４】
2011130300.tif 000006
【図５】
2011130300.tif 000007
【図６】
2011130300.tif 000008
【図７】
2011130300.tif 000009